(57)【要約】  特に、従来に比べて、高い出力かつ出力を長期間持続させることが出来る金属空気電池を提供することを目的とする。本発明における金属空気電池（１）は、ケース（２）と、前記ケースの両側に配置された空気極（３）と、前記空気極から内側に離間して配置された複数枚の金属極（４）と、を有し、前記金属極同士は、間に空間（Ｓ）を介して対向していることを特徴とする。本発明の金属空気電池によれば、反応生成物が、空気極と金属極との間に堆積するのを抑制できる。また、空気極と金属極との間の距離の自由度が高い。以上により、高い出力かつ出力を長期間持続させることができる。
2017130441.tif 000002
【特許請求の範囲】
【請求項１】
ケースと、
前記ケースの両側に配置された空気極と、
前記空気極から内側に離間して配置された複数枚の金属極と、を有し、
前記金属極同士は、間に空間を介して対向していることを特徴とする金属空気電池。
【請求項２】
前記ケースは、複数に分割されており、
前記金属極は、夫々、別の前記ケースに配置されるとともに、各金属極の少なくとも一方は、前記ケースの対向部よりも内側に配置されており、
複数の前記ケースが、前記対向部を対向させて組み合わされて、前記金属極の間に前記空間が形成されることを特徴とする請求項１に記載の金属空気電池。
【請求項３】
外側枠体及び前記対向部としての内側枠体を有する第１のケース及び第２のケースと、
前記第１のケースの前記外側枠体に配置される第１の空気極と、
前記第１のケースの前記内側枠体側に配置される第１の金属極と、
前記第２のケースの前記外側枠体に配置される第２の空気極と、
前記第２のケースの前記内側枠体側に配置される第２の金属極と、を備えており、
前記第１の金属極と前記第２の金属極のうち、少なくとも一方が、前記内側枠体よりも内側に配置されており、
前記第１のケースと前記第２のケースとが、前記内側枠体を内側に向けて組み合わされて、前記第１の金属極と前記第２の金属極との間に前記空間が形成されることを特徴とする請求項２に記載の金属空気電池。
【請求項４】
前記空気極は、筒状で形成されており、あるいは前記筒状の一部が欠けた形状であることを特徴とする請求項１から請求項３のいずれかに記載の金属空気電池。
【請求項５】
ケースと、
前記ケース内に配置された、筒状、あるいは前記筒状の一部が欠けた形状の空気極と、
前記空気極から内側に離間して配置された、筒状あるいは前記筒状の一部が欠けた形状の金属極と、を有し、
前記金属極の筒状内部は、空間とされていることを特徴とする金属空気電池。
【請求項６】
前記金属極は、前記ケースから着脱可能に取り付けられることを特徴とする請求項１から請求項５のいずれかに記載の金属空気電池。
【請求項７】
前記金属極には、前記金属極の内側から外側にかけて貫通するスリット、あるいは穴が設けられていることを特徴とする請求項１から請求項６のいずれかに記載の金属空気電池。
【請求項８】
前記金属極は、一端部が前記ケース側に固定された固定端であり、他端部が自由端とされていることを特徴とする請求項１から請求項７のいずれかに記載の金属空気電池。
【請求項９】
前記金属極を構成する金属は、マグネシウム又はマグネシウム合金であることを特徴とする請求項１から請求項８のいずれかに記載の金属空気電池。
【発明の詳細な説明】
【技術分野】
【０００１】
本発明は、金属空気電池に係り、特に、負極である金属極の構造に関する。
【背景技術】
【０００２】
金属空気電池では、正極である空気極において、大気中の酸素を正極活物質として利用し、当該酸素の酸化還元反応が行われる。一方、負極である金属極において、金属の酸化還元反応が行われる。金属空気電池のエネルギー密度は高く、災害時等における非常用電源等の役割として期待されている。【０００３】
空気極は、例えば、筐体の両側に配置され、金属極は、空気極の間に電解液を介して対向している（特許文献１の図１参照）。特許文献１に記載の金属空気電池では、金属極が、集電体と、集電体の両側に形成された電極活性物質とで構成されている。
【先行技術文献】
【特許文献】
【０００４】
【特許文献１】特開２０１５−９９７４０号公報
【発明の概要】
【発明が解決しようとする課題】
【０００５】
従来における金属空気電池の構造では、以下のような問題点があった。すなわち、電池反応によって生じた反応生成物が、空気極と金属極との間に堆積し、この結果、電池反応の低下による、所定出力の持続性低下が問題となった。【０００６】
また、特許文献１に記載の金属空気電池のように、両側に空気極が配置され、その間に金属極が配置される構成では、空気極と金属極との間の距離の自由度が低く、十分に高い出力が得られない問題があった。【０００７】
本発明はかかる点に鑑みてなされたものであり、特に、従来に比べて、高い出力かつ出力を長期間持続させることが出来る金属空気電池を提供することを目的とする。
【課題を解決するための手段】
【０００８】
本発明における金属空気電池は、ケースと、前記ケースの両側に配置された空気極と、前記空気極から内側に離間して配置された複数枚の金属極と、を有し、前記金属極同士は、間に空間を介して対向していることを特徴とする。【０００９】
本発明では、前記ケースは、複数に分割されており、前記金属極は、夫々、別の前記ケースに配置されるとともに、各金属極の少なくとも一方は、前記ケースの対向部よりも内側に配置されており、複数の前記ケースが、前記対向部を対向させて組み合わされて、前記金属極の間に前記空間が形成される構成とすることが出来る。【００１０】
具体的には、一例として、外側枠体及び前記対向部としての内側枠体を有する第１のケース及び第２のケースと、前記第１のケースの前記外側枠体に配置される第１の空気極と、前記第１のケースの前記内側枠体側に配置される第１の金属極と、前記第２のケースの前記外側枠体に配置される第２の空気極と、前記第２のケースの前記内側枠体側に配置される第２の金属極と、を備えており、前記第１の金属極と前記第２の金属極のうち、少なくとも一方が、前記内側枠体よりも内側に配置されており、前記第１のケースと前記第２のケースとが、前記内側枠体を内側に向けて組み合わされて、前記第１の金属極と前記第２の金属極との間に前記空間が形成される構成とすることが出来る。【００１１】
本発明では、前記空気極は、筒状で形成されており、あるいは前記筒状の一部が欠けた形状であってもよい。【００１２】
また本発明における金属空気電池は、ケースと、前記ケース内に配置された、筒状、あるいは前記筒状の一部が欠けた形状の空気極と、前記空気極から内側に離間して配置された、筒状あるいは前記筒状の一部が欠けた形状の金属極と、を有し、前記金属極の筒状内部は、空間とされていることを特徴とする。【００１３】
本発明では、前記金属極は、前記ケースから着脱可能に取り付けられることが好ましい。また本発明では、前記金属極には、前記金属極の内側から外側にかけて貫通するスリット、あるいは穴が設けられていることが好ましい。【００１４】
また本発明では、前記金属極は、一端部が前記ケース側に固定された固定端であり、他端部が自由端とされていることが好ましい。【００１５】
また本発明では、前記金属極を構成する金属は、特に限定されないが、例えば、マグネシウム又はマグネシウム合金である。
【発明の効果】
【００１６】
本発明の金属空気電池によれば、反応生成物が、空気極と金属極との間に堆積するのを抑制できる。また、空気極と金属極との間の距離の自由度が高い。以上により、従来に比べて、高い出力かつ出力を長期間持続させることが出来る。
【図面の簡単な説明】
【００１７】
【図１】本発明の第１の実施の形態における、金属空気電池の模式図（縦断面図）である。
【図２】本発明の第２の実施の形態における、金属空気電池の模式図（縦断面図）である。
【図３】金属極の下端を自由端とした構造において、反応生成物による金属極の状態を説明するための、金属空気電池の模式図（縦断面図）である。
【図４】本発明の第３の実施の形態における、金属空気電池の模式図（縦断面図）である。
【図５】本発明の第４の実施の形態における、金属極の模式図（正面図）である。
【図６】本発明の第５の実施の形態における、金属空気電池の模式図（横断面図）である。
【図７】本発明の第６の実施の形態における、金属空気電池の模式図（横断面図）である。
【発明を実施するための形態】
【００１８】
以下、本発明の一実施の形態（以下、「実施の形態」と略記する。）について、詳細に説明する。なお、本発明は、以下の実施の形態に限定されるものではなく、その要旨の範囲内で種々変形して実施することができる。
【００１９】
＜第１の実施の形態＞
図１は、本発明の第１の実施の形態における、金属空気電池の模式図（縦断面図）である。縦断面とは、ケースの高さ方向に沿って切断した切断面を指す。以下、同様である。図１Ａに示すように、金属空気電池１は、ケース２と、ケース２の両側に配置された空気極３と、空気極３の内側に離間して配置された金属極４と、を有して構成される。空気極３は正極であり、金属極４は負極である。
【００２０】
ケース２は、電気絶縁性であり、且つ、電解液の漏洩防止が可能なプラスチック樹脂や紙等で形成される。ケース２の第１の側面２ａと、第２の側面２ｂには、夫々、開口窓５が形成されている。複数の空気極３が、第１の側面２ａと第２の側面２ｂの枠に、夫々固定される。このとき、開口窓５により各空気極３の外側面は、空気に曝される。
【００２１】
例えば、ケース外観の、縦寸法、横寸法及び高さ寸法は、数ｃｍ〜数十ｃｍ単位である。また、ケース２の形状は、例えば、直方体、立方体、円柱、角柱等である。ケース２は、単体で構成されていてもよいし、複数のパーツを組み合わせたものであってもよい。なお、ケース２の大きさや形状等は、特に限定されるものでない。
【００２２】
図１Ａに示すケース２には、天井部２ｃに、金属極４を、金属空気電池１の外側からケース内部に挿入可能な挿入孔６が設けられている。
【００２３】
図１Ａに示すように、金属極４は、空気極３よりも内側に配置される。空気極３と金属極４との間には所定の間隔（ギャップ）Ｇが設けられる。間隔Ｇは、例えば、０．５〜２０ｍｍであり、好ましくは、０．５〜５ｍｍであり、更に好ましくは、０．５〜２．５ｍｍである。０．５ｍｍ以上であれば、反応生成物が金属極４と空気極３の間に堆積し、空気極３及び金属極４を破損することがなく、２０ｍｍ以下、好ましくは、５ｍｍ以下、更に好ましくは２．５ｍｍ以下であれば十分な出力を得ることが出来る。なお、間隔Ｇは、安定した出力を得るため、図１Ａに示す左右両側の空気極３−金属極４間で略同一となるように調整される。
【００２４】
また、空気極３及び金属極４の形状を限定するものでないが、例えば、主面が長方形、正方形等の薄い平板である。
【００２５】
図１Ａに示すように、空気極３は、正極端子８に電気的に接続されている。また、金属極４は、負極端子９に接続されている。
【００２６】
図１Ａに示すように、空気極３と金属極４とは電解液７を介して対向している。空気極３と金属極４は互いに電解液７に接触している。
【００２７】
図１に示す金属空気電池１が、マグネシウム空気電池であるとき、金属極４の近傍においては、下記（１）で示す酸化反応が生じる。また、空気極３においては、下記（２）で示す還元反応が生じる。マグネシウム空気電池全体としては、下記（３）に示す反応が起こり、放電が行われる。
（１）  ２Ｍｇ              →２Ｍｇ２＋＋４ｅ−
（２）Ｏ２＋２Ｈ２Ｏ＋４ｅ−  →４ＯＨ−
（３）２Ｍｇ＋Ｏ２＋２Ｈ２Ｏ  →２Ｍｇ（ＯＨ）２
【００２８】
ところで、従来の金属空気電池においては、例えば、特許文献１に示すように、ケースの両側に空気極が配置され、ケースの略中心位置に金属極が配置される構成であった。しかしながら、このような構成においては、空気極と金属極との間に、電池反応における反応生成物が堆積することで、所定出力の持続性が問題とされた。また、空気極と金属極との間の距離の自由度が低く、十分に高い出力が得られない問題もあった。
【００２９】
そこで本発明者らは、金属極の構造を改良し、空気極と金属極との間の反応生成物の堆積を、従来に比べて抑制できる金属空気電池を構築するに至った。すなわち図１Ａに示すように、第１の実施の形態では、金属極４は複数枚設けられ、これら金属極４同士が、間に空間Ｓを介して対向している。空間Ｓは、金属極４とケース２との間に設けられた隙間１３に連通している。ここで「空間」とは、金属極４の内面（対向面）４ａ間を、特許文献１のような集電体等で埋めずに、電解液７で満たすことができる三次元的な広がりを指す。
【００３０】
このように、金属極４同士を、空間Ｓを介して対向させることで、空間Ｓを、反応生成物の堆積可能な領域として利用できる。すなわち、本実施の形態では、反応生成物を、金属極４とケース２との間に設けられた隙間１３から、金属極４の内面４ａ側にスムースに移行させることができ、ケース２内での反応生成物の分散性を向上させることが出来る。したがって、空気極３と金属極４との間の反応生成物の堆積量を、従来よりも低減させることが出来る。
【００３１】
また本実施の形態では、複数枚の金属極４を、空間Ｓを介して対向させることで、空気極３と金属極４との間隔Ｇの自由度を高くできる。したがって、高い出力を得るために、空気極３と金属極４との各間隔Ｇを狭くすることが出来る。
【００３２】
また本実施の形態では、金属極４同士を、空間Ｓを介して対向させることで、空間Ｓに電解液７を注入でき、電解液７の容量を大きくできる。この結果、電池反応に必要な電解液７を十分に保持することが出来る。これにより、高い出力且つ出力を長期間持続させることが出来る。特に、金属空気電池１の小型化に伴って、本実施の形態の構成は効果的である。
【００３３】
図１Ａに示す構造では、２枚の金属極４が、上端４ｂの位置で導電性の平板状の連結部１０により連結されている。そして、負極端子９が連結部１０の位置に電気的に接続されている。連結部１０は、ケース２の天井部２ｃの上面側で固定支持される。
【００３４】
図１Ａでは、連結部１０により連結された金属極４は、ケース２に対して着脱可能に支持されている。従って、出力低下や反応終了時等に伴い、金属極４の交換が可能である。
【００３５】
図１Ｂに示す構成では、金属極４の上端４ｂがリード線等の導体１１にて電気的に接続されている。図１Ｂでは、金属極４の上端４ｂは、天井部２ｃよりも上方に突き出している。そして、金属極４の上端４ｂ間が導体１１で接続されている。図１Ｂに示す構成においても、金属極４は、ケース２に対して着脱可能に支持されている。
【００３６】
＜第２の実施の形態＞
以下、第１の実施の形態以外の金属空気電池の構成について説明するが、金属極が、間に空間Ｓを介して対向している特徴的構成を備えていることに変わりがない。したがって、第２の実施の形態以降では、空間Ｓを介して金属極が対向配置される特徴的構成以外の異なる部分を中心に説明する。また、図２以降において、図１と同じ符号は、図１と同じ部分を指している。
【００３７】
図２は、本発明の第２の実施の形態における、金属空気電池の模式図（縦断面図）である。図２Ａは、図１Ａと同様に、金属極４の上端４ｂが導電性の連結部１０で連結されているが、連結部１０は、ケース２内に収納されている。また、図２Ｂは、図１Ｂと同様に、金属極４の上端４ｂが、リード線等の導体１１により電気的に接続されているが、金属極４全体がケース２内に収納されている。
【００３８】
したがって、図２に示す実施の形態では、金属極４をケース２に対し着脱不可である。よって、図２では、使い捨ての金属空気電池１となる。
【００３９】
図２Ｃは、図２Ｂと同様に、使い捨ての金属空気電池１であるが、図２Ｃでは、金属極４の下端４ｃが、固定部１２により固定されている。図２Ｃに示すように、固定部１２は、ケース２の底面部２ｄの表面から上方に突出している。図２Ｃに示す構成では、金属極４の上端４ｂと下端４ｃとがケース２に直接、あるいは、間接的に固定された構造とされている。なお、図２Ｃでは、図面上、金属極４とケース２との間に隙間がないように見えるが、実際には、金属極４とケース２との側面間等に、空間Ｓに通じる隙間が設けられている。そして、反応生成物を、金属極４とケース２との間の隙間から、金属極４間の空間Ｓに移行させることができる。
【００４０】
図２Ｂの構成では、図２Ｃと同様に、金属極４の上端４ｂ側は、ケース２の天井部２ｃ側に導体１１を介して固定されているが、図２Ｃと異なって、下端４ｃは固定されていない。すなわち、下端４ｃは自由端とされている。
【００４１】
図３は、金属極の下端を自由端とした構造において、反応生成物による金属極の状態を説明するための、金属空気電池の模式図（縦断面図）である。
【００４２】
図３に示すように、金属極４の下端４ｃを自由端とすることで、金属極４の下端４ｃ側を揺動させることができる。このため、空気極３と金属極４との間に堆積した反応生成物Ｐによる押圧力を受けて金属極４の下端４ｃ側を内側に変位させることが出来る。これにより、反応生成物Ｐによる空気極３及び金属極４への押圧力を緩和でき、空気極３や金属極４の破損を抑制することが出来る。
【００４３】
なお、上記の効果は、図１に示す金属極４の構成においても適切に発揮することが出来る。
【００４４】
＜第３の実施の形態＞
図４は、本発明の第３の実施の形態における、金属空気電池の模式図（縦断面図）である。図４において、図１、図２と同じ符号は、図１、図２と同じ箇所を示している。また、図４は、金属空気電池を構成する各ケースを組み合わせる前の状態を示す。
【００４５】
図４に示すように、ケース２は、第１のケース３２及び第２のケース４２に分割されている。図４に示すように第１のケース３２は、相対向する外側枠体３２ａ及び内側枠体３２ｂを備える。同様に、第２のケース４２は、相対向する外側枠体４２ａ及び内側枠体４２ｂを備える。図４に示すように、第１のケース３２の内側枠体３２ｂには凸部５０が形成されている。また、図４に示すように、第２のケース４２の内側枠体４２ｂには凹部５１が形成されている。したがって、第１のケース３２は雄型のケース構造であり、第２のケース４２は雌型のケース構造である。
【００４６】
図４に示すように、第１のケース３２の外側枠体３２ａには、第１の空気極３３が設置され、第１のケース３２の内側枠体３２ｂ側には、第１の金属極３４が設置される。同様に、第２のケース４２の外側枠体４２ａには第２の空気極４３が設置され、内側枠体４２ｂには、第２の金属極４４が設置される。
【００４７】
図４に示すように、第１の金属極３４は、第１のケース３２の内側枠体３２ｂよりも内側（外側枠体３２ａに近づく方向）に位置している。同様に、第２の金属極４４は、第２のケース４２の内側枠体４２ｂよりも内側（外側枠体４２ａに近づく方向）に位置している。ここで、「内側枠体よりも内側」とは、凸部５０や凹部５１等のケース接続部を除く、内側枠体の表面よりも内側であることを指す。
【００４８】
これにより、第１のケース３２の内側枠体３２ｂと、第２のケース４２の内側枠体４２ｂとを対向させて各ケース３２、３３を、例えば、凹凸嵌合により組み合わせると、図１、図２と同様に、金属極３４、４４の間に所定幅の空間Ｓを形成することが出来る。空間Ｓの幅は、各ケース３２、４２に配置する金属極３４、４４の設置位置により調整することが出来る。また、同時に、空気極３３、４３と、金属極３４、４４との間の間隔（ギャップ）Ｇを調整することができる。
【００４９】
このように、図４の金属空気電池では、ケース２を複数に分割し、各ケース３２、４２に金属極３４、４４を配置する。しかも、金属極３４、４４を、各ケース３２、４２の対向部としての内側枠体３２ｂ、４２ｂよりも内側に配置する。これにより、各ケース３２、４２を合体させるだけで、所望の空間Ｓを、金属極３４、４４間に簡単に設けることが出来る。また、限定するものではないが、図４の構造は、例えば、ケース２内に、金属極３４、４４が固定支持される構造に特に有用である。ケース２を分割し、分割されたケース３２、４２を組み合わせる構造とすることで、簡単且つ適切にケース２内に金属極３４、４４を固定支持することが出来る。
【００５０】
なお、図４では、第１の金属極３４及び第２の金属極４４の双方が、各ケース３２、４２の内側枠体３２ｂ、４２ｂよりも内側に位置しているが、少なくとも一方が、ケースの内側枠体よりも内側に位置している構造であってもよい。これによっても、分割された各ケースを組み合わせることで、金属極３４、４４間に空間Ｓを形成することが出来る。
【００５１】
また図４とは異なって、例えば、第１の空気極３３、第２の空気極４３、第１の金属極３４、及び第２の金属極４４が夫々個別のケースに配置されており、金属極３４、４４を配置した各ケースを組み合わせたときに、金属極３４、４４間に空間Ｓが形成されるように構成してもよい。あるいは、空気極は、第１の空気極３３、及び第２の空気極４３のように複数に分割されておらず、後述する筒状体等で構成されていてもよい。
【００５２】
＜第４の実施の形態＞
図５は、本発明の第４の実施の形態における、金属極の模式図（正面図）である。図５Ａに示すように、金属極４には、スリット２０が設けられている。図５Ａでは、スリット２０は２本であるが、数を限定するものではない。スリット２０は、金属極４の下端４ｃから上端４ｂに向けての途中の位置まで設けられている。
【００５３】
一方、図５Ｂでは、スリット２１が、金属極４の下端４ｃから上端４ｂに至り、３枚の短冊状片に分離されている。これら短冊状片は、例えば図１Ａに示す連結部１０によって連結されている。
【００５４】
また、図５Ｃでは、金属極４にスリット状の穴２２が形成されている。穴２２の形状や数を特に限定するものではない。
【００５５】
これらスリット２０、２１や穴２２は、図１Ａに示す金属極４の内面４ａから外面（空気極３との対向面）にかけて貫通している。
【００５６】
図５に示すように、金属極４にスリットや穴を設けることで、反応生成物を、スリットや穴を通して、金属極４の間に設けられた空間Ｓ（図１等参照）にスムースに移行させることが出来る。よって、図５の構成によれば、より効果的に、空気極３と金属極４との間に反応生成物が堆積する不具合を抑制できる。
なお、第４の実施の形態は、他の実施の形態にも適用することが可能である。
【００５７】
＜第５の実施の形態＞
図６は、本発明の第５の実施の形態における、金属空気電池の模式図（横断面図）である。横断面とは、ケースの平面方向に沿って切断した切断面を、上方向から見た断面を指す。
【００５８】
図６Ａでは、空気極３が筒状に形成されている。一方、金属極４は、空気極３の内側に離間して２枚、設けられている。なお、「筒状」とは、中空形状を意味し、平面視にてリング状を成すものは全て含まれる。
【００５９】
図６Ａに示すように、空気極３は、金属極４と対向する対向部３ａと、対向部３ａ間を接続する接続部３ｂとで構成される。空気極３の外観形状は限定されないが、例えば、図６Ａに示す角丸長方形や、多角形、円形、楕円形等である。一方、図６Ｂの構成では、図６Ａに示す空気極３の接続部３ｂの一部が欠けた形状とされている。
【００６０】
なお、図６において、対向部３ａと接続部３ｂとの複数パーツを組み合わせて空気極３を構成してもよいし、対向部３ａと接続部３ｂとが一体で形成された空気極３とすることも出来る。
図６の構成では、空気極３の表面積を広く確保でき、高い出力を得ることが出来る。
【００６１】
＜第６の実施の形態＞
図７は、本発明の第６の実施の形態における、金属空気電池の模式図（横断面図）である。
【００６２】
図７に示す構成では、空気極３と金属極４の双方が、筒状で形成されている。図７に示す構成において、空気極３は、図１等と同様に、ケースの両側に分離された複数枚の構成であってもよい。
【００６３】
図７に示す構成では、金属極４の筒状内部１５が、空間Ｓとされている。また、図７に示す筒状の金属極４の一部が欠けた形状であってもよい。
【００６４】
図７に示す構成では、空気極３に対向する金属極４の体表面積を広く確保することが出来る。加えて、空気極３と金属極４との間の間隔Ｇを全周にわたって狭く設定できる。これにより、効果的に高い出力を達成できる。しかも、金属極４の筒状内部１５が空間Ｓとされ、空間Ｓは、金属極４とケース２との間に設けられた隙間（例えば、金属極４の下端とケース２との間の隙間）と連通している。このため、空間Ｓは、筒状内部１５を反応生成物の堆積領域として使用できる。よって、高い出力且つ出力を長期間持続させることが出来る。
【００６５】
＜空気極＞
続いて、空気極３の構成について説明する。空気極３は、導電材層と集電体との積層構造で形成することができる。なお、導電材層が、ケース２内に収容される電解液と接触する内側層である。
【００６６】
導電材層は、導電性材料をバインダ樹脂により結着させることにより形成することが出来る。導電材層を構成する導電性材料を限定するものでない。従来から知られている金属空気電池の導電材層を構成する材料を全て使用できる。例えば、好適な導電性材料としては、アセチレンブラック、ケッチェンブラック、活性炭、及びカーボンナノチューブ等の炭素材料を挙げることが出来る。
【００６７】
空気極３の導電材層に用いられるバインダ樹脂は、特に限定されない。例えば、好適なバインダ樹脂としては、ポリフッ化ビニリデン（ＰＶＤＦ）、ポリテトラフルオロエチレン（ＰＴＦＥ）、テトラフルオロエチレン・ヘキサフルオロプロピレン共重合体（ＦＥＰ）、エチレン・テトラフルオロエチレン共重合体（ＥＴＦＥ）、ポリクロロトリフルオロエチレン（ＰＣＴＦＥ）、エチレン・クロロトリフルオロエチレン共重合体（ＥＣＴＦＥ）、ポリフッ化ビニル（ＰＶＦ）等のフッ素樹脂を挙げることが出来る。
【００６８】
なお、導電材層には、従来から知られている空気金属電池正極用の電極触媒が含有されていてもよい。例えば、電極触媒は、白金（Ｐｔ）、ルテニウム（Ｒｕ）、イリジウム（Ｉｒ）、ロジウム（Ｒｈ）、パラジウム（Ｐｄ）、オスミウム（Ｏｓ）、タングステン（Ｗ）、鉛（Ｐｂ）、鉄（Ｆｅ）、クロム（Ｃｒ）、コバルト（Ｃｏ）、ニッケル（Ｎｉ）、マンガン（Ｍｎ）、バナジウム（Ｖ）、モリブデン（Ｍｏ）、ガリウム（Ｇａ）、アルミニウム（Ａｌ）、銅（Ｃｕ）等の金属及びその化合物、並びに、これらの合金等を例示できる。
【００６９】
空気極３を構成する集電体層は、空気と接する外側層である。集電体層は、導電性の金属材料からなる金網、エキスパンドメタル、織物、パンチングシート、エッチング箔、発泡体等を好適に使用することが出来る。
【００７０】
導電性の金属材料としては特に限定されないが、例えば、ステンレス鋼（ＳＵＳ）、銅、ニッケル等を挙げることが出来る。
【００７１】
＜金属極＞
本実施の形態では、金属極４の材質を限定するものでないが、亜鉛、アルミニウム、マグネシウム等の金属又はそれらの合金が好ましい。
【００７２】
なお合金としては、従来から知られている金属空気電池の負極を構成する全ての材質を適用できる。
【００７３】
例えば、マグネシウム空気電池であれば、金属極４には、マグネシウム又はマグネシウム合金が使用される。
【００７４】
なお、本実施の形態では、金属空気電池１を複数連結してなる金属空気電池ユニットを構成してもよい。
【産業上の利用可能性】
【００７５】
本発明の金属空気電池によれば、従来に比べて、高い出力を、長時間、持続させることが出来る。したがって、本発明の金属空気電池を、災害時等における非常用電源等として有効に適用することが出来る。【００７６】
本出願は、２０１６年１月２６日出願の特願２０１６−０１２６２８に基づく。この内容は全てここに含めておく。
【図１】
2017130441.tif 000003
【図２】
2017130441.tif 000004
【図３】
2017130441.tif 000005
【図４】
2017130441.tif 000006
【図５】
2017130441.tif 000007
【図６】
2017130441.tif 000008
【図７】
2017130441.tif 000009
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
ケースと、
前記ケースの両側に配置され、外側面が空気に曝される空気極と、
前記空気極から内側に離間して配置された複数枚の金属極と、を有し、
前記金属極同士は、間に空間を介して対向しており、前記空間は、前記ケースに注入された電解液により満たされることを特徴とする金属空気電池。
【請求項２】
前記ケースは、複数に分割されており、
前記金属極は、夫々、別の前記ケースに配置されるとともに、各金属極の少なくとも一方は、前記ケースの対向部よりも内側に配置されており、
複数の前記ケースが、前記対向部を対向させて組み合わされて、前記金属極の間に前記空間が形成されることを特徴とする請求項１に記載の金属空気電池。
【請求項３】
外側枠体及び前記対向部としての内側枠体を有する第１のケース及び第２のケースと、
前記第１のケースの前記外側枠体に配置される第１の空気極と、
前記第１のケースの前記内側枠体側に配置される第１の金属極と、
前記第２のケースの前記外側枠体に配置される第２の空気極と、
前記第２のケースの前記内側枠体側に配置される第２の金属極と、を備えており、
前記第１の金属極と前記第２の金属極のうち、少なくとも一方が、前記内側枠体よりも内側に配置されており、
前記第１のケースと前記第２のケースとが、前記内側枠体を内側に向けて組み合わされて、前記第１の金属極と前記第２の金属極との間に前記空間が形成されることを特徴とする請求項２に記載の金属空気電池。
【請求項４】
前記空気極は、筒状で形成されており、あるいは前記筒状の一部が欠けた形状であることを特徴とする請求項１から請求項３のいずれかに記載の金属空気電池。
【請求項５】
ケースと、
前記ケース内に配置された、筒状、あるいは前記筒状の一部が欠けた形状の、外側面が空気に曝される空気極と、
前記空気極から内側に離間して配置された、筒状あるいは前記筒状の一部が欠けた形状の金属極と、を有し、
前記金属極の筒状内部は、空間とされており、前記空間は、前記ケースに注入された電解液により満たされることを特徴とする金属空気電池。
【請求項６】
前記金属極は、前記ケースから着脱可能に取り付けられることを特徴とする請求項１から請求項５のいずれかに記載の金属空気電池。
【請求項７】
前記金属極には、前記金属極の内側から外側にかけて貫通するスリット、あるいは穴が設けられていることを特徴とする請求項１から請求項６のいずれかに記載の金属空気電池。
【請求項８】
前記金属極は、一端部が前記ケース側に固定された固定端であり、他端部が自由端とされていることを特徴とする請求項１から請求項７のいずれかに記載の金属空気電池。
【請求項９】
前記金属極を構成する金属は、マグネシウム又はマグネシウム合金であることを特徴とする請求項１から請求項８のいずれかに記載の金属空気電池。
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
ケースと、
前記ケースの両側に配置され、外側面が空気に曝される空気極と、
前記空気極から内側に離間して配置された複数枚の金属極と、を有し、
前記金属極同士は、間に空間を介して対向しており、
前記金属極の間の前記空間と、前記空気極と前記金属極との間の間隔とは連通しており、
前記空間及び前記間隔は、前記ケースに注入された電解液により満たされることを特徴とする金属空気電池。
【請求項２】
外側枠体及び内側枠体を有する、前記ケースを構成する第１のケース及び第２のケースと、
前記第１のケースの前記外側枠体に配置される第１の空気極と、
前記第１のケースの前記内側枠体側に配置される第１の金属極と、
前記第２のケースの前記外側枠体に配置される第２の空気極と、
前記第２のケースの前記内側枠体側に配置される第２の金属極と、を備えており、
前記第１の金属極と前記第２の金属極のうち、少なくとも一方が、前記内側枠体よりも内側に配置されており、
前記第１のケースと前記第２のケースとが、前記内側枠体を内側に向けて組み合わされて、前記第１の金属極と前記第２の金属極との間に前記空間が形成されることを特徴とする請求項１に記載の金属空気電池。
【請求項３】
前記空気極は、筒状で形成されており、あるいは前記筒状の一部が欠けた形状であることを特徴とする請求項１又は請求項２に記載の金属空気電池。
【請求項４】
ケースと、
前記ケース内に配置された、筒状、あるいは前記筒状の一部が欠けた形状の、外側面が空気に曝される空気極と、
前記空気極から内側に離間して配置された、筒状あるいは前記筒状の一部が欠けた形状の金属極と、を有し、
前記金属極の筒状内部は、空間とされており、
前記筒状内部の空間と、前記空気極と金属極との間の間隔とは連通しており、
前記空間及び前記間隔は、前記ケースに注入された電解液により満たされることを特徴とする金属空気電池。
【請求項５】
前記金属極は、前記ケースから着脱可能に取り付けられることを特徴とする請求項１から請求項４のいずれかに記載の金属空気電池。
【請求項６】
前記金属極には、前記金属極の内側から外側にかけて貫通するスリット、あるいは穴が設けられていることを特徴とする請求項１から請求項５のいずれかに記載の金属空気電池。
【請求項７】
前記金属極は、一端部が前記ケース側に固定された固定端であり、他端部が自由端とされていることを特徴とする請求項１から請求項６のいずれかに記載の金属空気電池。
【請求項８】
前記金属極を構成する金属は、マグネシウム又はマグネシウム合金であることを特徴とする請求項１から請求項７のいずれかに記載の金属空気電池。
【手続補正２】
【補正対象書類名】明細書
【補正対象項目名】０００８
【補正方法】変更
【補正の内容】
【０００８】
本発明における金属空気電池は、ケースと、前記ケースの両側に配置され、外側面が空気に曝される空気極と、前記空気極から内側に離間して配置された複数枚の金属極と、を有し、前記金属極同士は、間に空間を介して対向しており、前記金属極の間の前記空間と、前記空気極と前記金属極との間の間隔とは連通しており、前記空間及び前記間隔は、前記ケースに注入された電解液により満たされることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明では、外側枠体及び内側枠体を有する、前記ケースを構成する第１のケース及び第２のケースと、前記第１のケースの前記外側枠体に配置される第１の空気極と、前記第１のケースの前記内側枠体側に配置される第１の金属極と、前記第２のケースの前記外側枠体に配置される第２の空気極と、前記第２のケースの前記内側枠体側に配置される第２の金属極と、を備えており、前記第１の金属極と前記第２の金属極のうち、少なくとも一方が、前記内側枠体よりも内側に配置されており、前記第１のケースと前記第２のケースとが、前記内側枠体を内側に向けて組み合わされて、前記第１の金属極と前記第２の金属極との間に前記空間が形成される構成とすることが出来る。
【手続補正５】
【補正対象書類名】明細書
【補正対象項目名】００１２
【補正方法】変更
【補正の内容】
【００１２】
また本発明における金属空気電池は、ケースと、前記ケース内に配置された、筒状、あるいは前記筒状の一部が欠けた形状の、外側面が空気に曝される空気極と、前記空気極から内側に離間して配置された、筒状あるいは前記筒状の一部が欠けた形状の金属極と、を有し、前記金属極の筒状内部は、空間とされており、前記筒状内部の空間と、前記空気極と金属極との間の間隔とは連通しており、前記空間及び前記間隔は、前記ケースに注入された電解液により満たされることを特徴とする。
【国際調査報告】
2017130441.tif 000010
2017130441.tif 000011
2017130441.tif 000012
2017130441.tif 000013
2017130441.tif 000014